(57)【要約】【課題】高所作業を不要にし、仮設足場やゴンドラ等の設置を省き、コストダウンを図る。【解決手段】装置１０は、建物２の外壁面４に沿って配置された、植物１４が植生された複数の植栽ユニット１２を備えている。各植栽ユニット１２は、上から順に吊り部材１６を介して順次吊下げられて相互に連結されている。最上部の植栽ユニット１２は、ワイヤー１８により建物２の屋上部６のパラペット７に固定されている。建物２の屋上部６には、当該ワイヤー１８の繰出し及び巻取りを行って植栽ユニット１２を昇降させる昇降装置３０が設置されている。【選択図】      図１
2004248550.tif 000002
【特許請求の範囲】
【請求項１】
植物が植えられた複数の植栽ユニットを壁面に沿って上下に設置してなる壁面緑化装置であって、
最上段の前記植栽ユニットは、前記壁面の上方から吊り下げられ、他の前記植栽ユニットは、当該最上段の植栽ユニットから順次吊り下げられていることを特徴とする壁面緑化装置。
【請求項２】
前記植栽ユニットは、前記植物を栽培するためのパイプ状の容器を備えることを特徴とする請求項１に記載の壁面緑化装置。
【請求項３】
前記パイプ状の容器が水平方向に延びるように設置されていることを特徴とする請求項２に記載の壁面緑化装置。
【請求項４】
請求項１〜３のいずれか１項に記載の壁面緑化装置であって、
前記植栽ユニットは、前記植物に水を与えるための導水手段を備え、当該壁面緑化装置は、前記導水手段へ水を供給するための給水手段を備えることを特徴とする壁面緑化装置。
【請求項５】
請求項４に記載の壁面緑化装置であって、
前記給水手段は、水を貯留する給水槽と、前記給水槽と前記複数の植栽ユニットの前記導水手段とを直接的または間接的に接続する給水部材とを備えることを特徴とする壁面緑化装置。
【請求項６】
請求項５に記載の壁面緑化装置であって、
前記給水部材は、前記給水槽と最上段の前記植栽ユニットとを接続する給水部材と、上下に隣接する前記植栽ユニットの前記導水手段どうしを接続する給水部材とにより構成されることを特徴とする壁面緑化装置。
【請求項７】
請求項５または６に記載の壁面緑化装置であって、前記給水部材は、毛管現象により水を供給する導水材により形成されていることを特徴とする壁面緑化装置。
【請求項８】
請求項５〜７のいずれか１項に記載の壁面緑化装置であって、
前記給水槽の貯水量を制御する制御手段を備えることを特徴とする壁面緑化装置。
【請求項９】
前記植栽ユニットを昇降させる昇降手段を備えることを特徴とする請求項１〜８のいずれか１項に記載の壁面緑化装置。
【請求項１０】
植物が植えられた複数の植栽ユニットを壁面に沿って上下に設置してなる壁面緑化方法であって、
最上段の前記植栽ユニットを前記壁面の上部から揚重装置によって揚重し、他の前記植栽ユニットを当該最上段の植栽ユニットに順次吊り下げながら揚重していくことを特徴とする壁面緑化方法。
【発明の詳細な説明】
【０００１】
【発明の属する技術分野】
本発明は、建物等の壁面に対して緑化を施す壁面緑化装置および壁面緑化方法に関する。
【０００２】
【従来の技術】
近年、建物のコンクリートから放出される熱によって起こるヒートアイランド現象が都市部等において大きな問題となっている。そこで、このようなヒートアイランド現象を抑制するために、建物の壁面に対して緑化が実施されている。これは、建物の壁面に対して植物を施すことで、意匠性の向上や太陽光線の照り返しの緩和を目的に設置されている。
【０００３】
壁面に対して緑化を施す方法としては、主に次の３つの方法があった。
▲１▼地上部分に植栽を施して植物を壁面に沿って登攀させる方法。
▲２▼屋上部分に植栽を施して植物を壁面に沿って下垂させる方法。
▲３▼壁面に植物を植え付ける植栽用培地を設けて、登攀または下垂させる方法。
【０００４】
また、この他に、壁面に対して、植物が植えられた円柱状の緑化基盤を溶接金網を介して取り付けて緑化を行う方法も提案されている（例えば、特許文献１参照）。
【０００５】
【特許文献１】
特開２０００−３０００７９号公報（第１−４頁、第１−４図）
【０００６】
【発明が解決しようとする課題】
しかしながら、これらの従来の壁面緑化方法にあっては、壁面に対して植物を登攀または下垂させるためのネット等の器具を取り付けたり、また緑化基盤を壁面に取り付けるといった作業が必要であった。このような作業は、高所作業となるため、仮設足場やゴンドラ等を設置しなければならず、このため、これらの設置に相当な時間と手間がかかり、大幅なコストアップを招いていた。また、施肥や刈り込み、補修、病虫害対策等のメンテナンス作業を行う際にも、このような仮設足場やゴンドラ等を設置しなければならず、初期設置時および運営時の両面において大幅なコストを要していた。
【０００７】
本発明は、このような事情に鑑みてなされたものであって、その目的は、高所作業を必要とすることなく実施が可能な壁面緑化装置および壁面緑化方法を提供することにある。
【０００８】
【課題を解決するための手段】
このような目的を達成するために本発明にかかる壁面緑化装置にあっては、植物が植えられた複数の植栽ユニットを壁面に沿って上下に設置してなる壁面緑化装置であって、最上段の前記植栽ユニットは、前記壁面の上方から吊り下げられ、他の前記植栽ユニットは、当該最上段の植栽ユニットから順次吊り下げられていることを特徴とすることを特徴とする。
【０００９】
このような装置にあっては、壁面の上方から複数の植栽ユニットを順次吊り下げる構成であるから、高所作業を行わなくても、壁面に設置することができる。
【００１０】
また、かかる壁面緑化装置にあっては、前記植栽ユニットは、前記植物を栽培するためのパイプ状の容器を備えていても良い。また、このパイプ状の容器にあっては、水平方向に沿って設置されていても良い。このようなパイプ状の容器を植栽ユニットが備えることで、植物を良好に植栽することができる。また、パイプ状の容器が水平方向に沿って設置されていることで、壁面に対して見栄え良く設置することができる。
【００１１】
また、かかる壁面緑化装置にあっては、前記植栽ユニットは、前記植物に水を与えるための導水手段を備え、前記壁面緑化装置は、前記導水手段へ水を供給するための給水手段を備えていても良い。このような導水手段および給水手段を備えれば、植栽ユニットの植物に対して十分に水を供給することができる。
【００１２】
また、かかる壁面緑化装置にあっては、前記給水手段は、水を貯留する給水槽と、前記給水槽と前記複数の植栽ユニットの前記導水手段とを直接的または間接的に接続する給水部材とを備えていても良い。
【００１３】
また、かかる壁面緑化装置にあっては、前記給水部材は、前記給水槽と最上段の前記植栽ユニットとを接続する給水部材と、上下に隣接する前記植栽ユニットの前記導水手段どうしを接続する給水部材とにより構成されていても良い。
【００１４】
また、かかる壁面緑化装置にあっては、前記給水部材は、毛管現象により水を供給する導水材により形成されていても良い。このような導水材により導水手段を形成することで、簡単に水を供給することができる。
【００１５】
また、かかる壁面緑化装置にあっては、前記給水槽の貯水量を制御する制御手段を備えていても良い。
【００１６】
また、かかる壁面緑化装置にあっては、前記植栽ユニットを昇降させる昇降装置を備えていても良い。このような昇降装置を備えることで、植栽ユニットを昇降させて、植栽ユニットの設置作業や撤去作業、その他各種メンテナンス作業を簡単に行うことができる。
【００１７】
また、本発明にかかる壁面緑化方法にあっては、植物が植えられた複数の植栽ユニットを壁面に沿って上下に設置してなる壁面緑化方法であって、最上段の前記植栽ユニットを前記壁面の上部から揚重装置によって揚重し、他の前記植栽ユニットを当該最上段の植栽ユニットに順次吊り下げながら揚重していくことを特徴とする。このような方法にあっては、壁面に対して高所作業を必要とすることなく、植栽ユニットを簡単に設置することができる。
【００１８】
【発明の実施の形態】
以下に、本発明に係る壁面緑化装置および壁面緑化方法の実施の形態について、説明する。図１〜図４は、本発明に係る壁面緑化装置および壁面緑化方法の一実施形態を説明するものである。
【００１９】
図１および図２はそれぞれ、本実施形態に係る壁面緑化装置の設置状況を説明した側面図および正面図である。本実施形態に係る壁面緑化装置１０は、同図に示すように、建物２の外壁面４に沿ってその上方から下方にかけて設置されている。この緑化装置１０は、上下方向に沿って相互に間隔をあけて配置された複数の植栽ユニット１２を備え、各植栽ユニット１２には植物１４が植生されている。各植栽ユニット１２は、上から順に吊り部材１６を介して順次吊下げられて相互に連結されて設置されている。吊り部材１６は、棒状に成形された金具により形成されている。
【００２０】
最上段の植栽ユニット１２は、ワイヤー１８により建物２の屋上部６のパラペット７に吊り下げられて取り付けられている。建物２の屋上部６には、当該ワイヤー１８の繰出し及び巻取りを行って植栽ユニット１２を昇降させる昇降装置（本発明における揚重装置にも相当）３０が設置されている。また、最下段の植栽ユニット１２は、地上部８に対して適当な定着部材１９を介して接続されている。
【００２１】
また、植栽ユニット１２と建物２の外壁面４との間には、植栽ユニット１２を外壁面４に固定するための固定部材２０が配置されている。また、この壁面緑化装置１０には、上方から下方にかけて防護ネット２２が設置されて、植栽ユニット１２を外側から覆って保護するようになっている。
【００２２】
図２の正面図に示されるように、壁面緑化装置１０は、植栽ユニット１２として、水平方向に沿って延びるパイプ状の容器２４を備えている。このパイプ状の容器２４は、相互に平行になるように水平方向に沿って配置されている。このパイプ状の容器２４の内部には、土壌が収容されていて、当該土壌２６により植物１４を植生させるようになっている。パイプ状の容器２４の上部には、植物１４を植生させるための開口部２４ａが複数箇所にわたり設けられている。つまり、本実施形態では、このパイプ状の容器２４が、植物育成用に一般的に良く用いられるプランタや鉢植えのように、植物１４を生育させる容器となっている。
【００２３】
吊り部材１６は、植栽ユニット１２を水平に保持するために、植栽ユニット１２の上下間に適宜な間隔をあけて複数箇所にわたり設けられている。吊り部材１６の上下両端部はそれぞれパイプ状の容器の断面形状に対応して弯曲成形された鉤状の引掛部となっていって、当該引掛部がパイプ状の容器２４の外周に沿って密着して植栽ユニットを相互に連結するようになっている。また、吊り部材１６とパイプ状容器２４および吊り部材１６どうしは、その位置がズレないように、針金などの結束部材（後述する図３に示す３０）によって相互に結束されている。
【００２４】
なお、パイプ状の容器２４は、プラスチックや発泡スチロール、ステンレス等の金属材などにより形成されると良い。この他に、パイプ状容器２４は、日射・風雨・温度変化等に対して十分な耐久性を有する耐候性に優れた材料により形成されると良い。また、パイプ状容器２４の断面形状としては、円筒形以外に例えば角筒体状等の他の形状に成形されても良い。
【００２５】
図３は、植栽ユニット１２の内部構造を示す断面図である。パイプ状の容器２４の内部には、同図に示すように、土壌２６の他に、その下側に、植物１４に対して水を供給するための導水路（本発明における導水手段に相当）２８が設けられている。この導水路２８は、パイプ状の容器２４の長さ方向に沿って設けられ、水が貯留される貯水部２８ａと空気層２８ｂとを有している。貯水部２８ａの水は、毛管現象等により水を拡散移動させる例えば織布など（図示外）の導水性材料などにより土壌２６に供給されるようになっている。また、吊り部材１６は、針金などからなる結束部材３０によりパイプ状容器２４および近隣の他の吊り部材１６と相互に結束されている。
【００２６】
なお、パイプ状容器２４に詰め込まれる土壌２６としては、天然土壌の他に、人工土壌を利用することができる。人工軽量土壌としては、無機質系人工軽量土壌、有機質混合人工軽量土壌、有機質系人工軽量土壌などを利用することができる。無機質系人工軽量土壌は、パーライトや焼成鉱物などからなり、透水性や通気性が高く好ましい。また、有機質系人工軽量土壌は、針葉樹の樹皮繊維などを主成分としたもので、透水性や通気性、保肥性に優れ、好ましい。また、有機質混合人工軽量土壌は、無機質資材に有機質資材を混合して性能を改良した人工軽量土壌であり、それぞれの良い点を持ち合わせており好ましい。この他に、土壌２６の代わりに、スポンジ・不織布・海綿等・天然素材を用いた材料を用いることができる。
【００２７】
また、導水路２８を通じて植物１４に供給される水には、肥料や各種薬品などが含まれていても良い。
【００２８】
また、植物１４については、植栽ユニット１２に植え付けられたまま、温室などの圃場において十分に育成してから壁面４に設置することができる。
【００２９】
図４は、本実施形態に係る壁面緑化装置における給水システムの一実施形態を示したものである。この給水システムは、建物の屋上部等に設置された給水槽４０から壁面緑化装置１０の各植栽ユニット１２に水を供給するシステムである。給水槽４０に貯留された水は、給水路４１を通じて、最上部に配置された植栽ユニット１２ａに供給される。供給された水は、植栽ユニット１２ａに設けられた導水路２８（図３参照）の一端側（図中左端側）に導入され、そこから植栽ユニット１２ａ内の導水路２８を通って他端側（図中右端側）へと流れる。植栽ユニット１２ａの他端側には、これより下側に配置された植栽ユニット１２ｂに水を供給するための給水部材４２が設けられている。この給水部材４２は、毛管現象により水を拡散移動させることができる織布などの多数の毛細空隙を有する導水性材料や、ホースやチューブ等の潅水パイプなどにより形成される。この給水部材４２により導出された水は、下方の植栽ユニット１２ｂの一端側（図中右端側）へと導入される。植栽ユニット１２ｂの一端側（図中右端側）に導入された水は、その植栽ユニット１２ｂ内の導水路２８を通じて他端側（図中左端側）へと流れて、そこから給水部材４２を通じてさらに下方の植栽ユニット１２ｃの一端側（図中左端側）へと導入される。このように給水槽４０から供給された水は、各植栽ユニット１２ａ、１２ｂ、１２ｃの導水路２８を順次流通しながら各植栽ユニット１２ａ、１２ｂ、１２ｃに導入されるようになっている。各植栽ユニット１２ａ、１２ｂ、１２ｃを流通した水は、排水路４３を通じて、建物の地上部等に設置された排水槽４４に貯留される。排水槽４４には、そして、その排水槽４４に貯留された水は、ポンプ４６により循環路４５を通じて給水槽４０へと送り込まれる。給水槽４０へと送り込まれた水は、再び各植栽ユニット１２ａ、１２ｂ、１２ｃに供給される。
【００３０】
なお、給水槽４０には、水道水や、回収した雨水などが適宜補給されるようにしても良い。また、排水槽４４には、集められた雨水などが貯留されても良い。この場合に、給水槽４０や排水槽４４には水位センサを設けて、これら給水槽４０や排水槽４４の水位を監視して、その水位に応じてポンプ４６などを作動させるなどして自動的に給水槽４０に水を補給するようにすると良い。また、給水槽４０または給水路４１に電磁弁等の調節弁を設け、この調節弁によって各植栽ユニット１２ａ、１２ｂ、１２ｃへの給水量を調節するようにしても良い。この際に、周囲の環境、即ち気温や湿度、日照具合をはじめ、各植栽ユニット１２の土壌２６の水分なども測定して、これらの情報をもとに必要に応じて給水量を自動的に調節する制御装置（本発明における制御手段に相当）を備えると良い。
【００３１】
図５は、本実施形態に係る壁面緑化装置の設置方法の一例を説明するための図である。本実施形態に係る壁面緑化装置１０は、まず、同図（Ａ）に示すように、建物２の屋上部６に設置された昇降装置３０から繰り出されたワイヤー１８を建物２の地上部まで垂れ下げて、その垂れ下げられたワイヤー１８の下端部に植栽ユニット１２を取り付ける。次に、同図（Ｂ）に示すように、ワイヤー１８を昇降装置３０により巻き上げて植栽ユニット１２を若干上昇させる。そして、上昇した植栽ユニット１２の下方に吊り部材１６を介して別の植栽ユニット１２を吊下げて連結する。そして、再度、昇降装置３０によりワイヤー１８を巻き上げて植栽ユニットを若干上昇させて、同図（Ｃ）に示すように、下端の植栽ユニット１２の下側に、さらに別の植栽ユニット１２を吊り部材１６を介して吊下げて連結する。このようにしてワイヤー１８を徐々に巻き上げながら、次々に植栽ユニット１２を吊下げてゆき、最終的に、同図（Ｄ）に示すように、最下段の植栽ユニット１２を定着部材１９を介して地上部８に固定して設置作業を完了させる。
【００３２】
また、この壁面緑化装置１０を撤去する場合には、昇降装置３０によりワイヤー１８を順次繰り出してゆき、地上部において順次植栽ユニット１２を取り外してゆく作業を行う。なお、壁面緑化装置１０に対して、例えば刈り込みや補修、病害虫対策等のメンテナンスを行う場合も、前述した撤去の場合と同様に、昇降装置３０により植栽ユニット１２を地上に降ろしてメンテナンス作業を行うことができる。
【００３３】
以上本実施形態にあっては、植物１４が植えられた植栽ユニット１２を吊り部材１６を介して相互に連結して吊下げる構成を採用しているから、従来のように、壁面に対して、植物を登攀させるためのネット等の器具を取り付ける必要がなく、壁面に対して傷つけたり汚したりするなどの影響を及ぼすのを防止することができる。また、仮設足場やゴンドラ等がなくても壁面に設置することができるから、大幅なコストダウンと作業の手間の軽減を図ることができる。また、撤去も容易に行うことができる。また、植物を十分に生育させてから設置できるため、非常に短時間に緑化を達成することができる。これらのことからトータル的に大幅なコストダウンと労力の軽減を達成することができる。
【００３４】
なお、上記実施形態では、給水槽４０から給水路４１により最上部の植栽ユニット１２ａへ直接的に水を供給し、この植栽ユニット１２ａを経由して下方の植栽ユニット１２ｂ，１２ｃ等へ間接的に水を供給する構成としたが、これに限らず、複数の植栽ユニット１２ａ，１２ｂ，１２ｃのうち適宜な植栽ユニットに給水槽４０から直接的に水を供給し、その植栽ユニットを通して他の植栽ユニットへ間接的に水を供給する構成であってもよい。あるいは、全て植栽ユニット１２ａ，１２ｂ，１２ｃへ給水槽４０から直接的に水を供給する構成としてもよい。
【００３５】
【発明の効果】
本発明によれば、壁面の上方から複数の植栽ユニットを順次吊り下げる構成であるから、高所作業を行わなくても、壁面に設置することができる。
【図面の簡単な説明】
【図１】本発明に係る壁面緑化装置及び壁面緑化方法の一実施形態を示した側面図である。
【図２】本発明に係る壁面緑化装置及び壁面緑化方法の一実施形態を示した正面図である。
【図３】本発明に係る壁面緑化装置及び壁面緑化方法における植栽ユニットの一実施形態を示した縦断面図である。
【図４】本発明に係る壁面緑化装置の制御システムの一実施形態を示したシステム構成図である。
【図５】本発明に係る壁面緑化方法を説明するための説明図である。
【符号の説明】
２    建物                        ４    外壁面
６    屋上部                      ８    地上部
１０  壁面緑化装置                １２  植栽ユニット
１４  植物                        １６  吊り部材
１８  ワイヤ                      ２０  固定部材
２２  防護ネット                  ２４  パイプ状の容器
２６  土壌                        ２８  導水路（導水手段）
３０  昇降装置                    ４０  給水槽
４１  給水路                      ４２  給水部材
４３  排水路                      ４４  排水槽
４６  ポンプ
【図１】
2004248550.tif 000003
【図２】
2004248550.tif 000004
【図３】
2004248550.tif 000005
【図４】
2004248550.tif 000006
【図５】
2004248550.tif 000007